(57)【要約】【課題】空気調和に関連する状態表示を的確に且つ分かり易く行う。【解決手段】吸気口１１と排気口１２を備えるとともに吸気口からの吸気と排気口からの排気を行う送風手段を内蔵している空気調和機である。第１の発光表示部３１と、第２の発光表示部３２と、空気調和に関連する第１の状態に応じて第１の発光表示部３１の動作を変更するとともに空気調和に関連する第２の状態に応じて第２の発光表示部３２の動作を変更する制御手段５とを備える。空気調和に関する２つの状態を２つの発光表示部３１，３２で個別表示することができる。【選択図】図１
2005147525.tif 000002
【特許請求の範囲】
【請求項１】
吸気口と排気口を備えるとともに、吸気口からの吸気と排気口からの排気を行う送風手段を内蔵している空気調和機において、第１の発光表示部と、第２の発光表示部と、空気調和に関連する第１の状態に応じて第１の発光表示部の動作を変更するとともに空気調和に関連する第２の状態に応じて第２の発光表示部の動作を変更する制御手段とを備えていることを特徴とする空気調和機。
【請求項２】
第１のフラップで開閉される第２吸気口と、第２のフラップで開閉される第２排気口とを備えており、第１の発光表示部は吸気口とこれに隣接する位置に配された第２吸気口との間に配設され、第２の発光表示部は排気口とこれに隣接する位置に配された第２排気口との間に配設されていることを特徴とする請求項１記載の空気調和機。
【請求項３】
吸気口は機体の一方の端面に、第２吸気口は機体前面の一方の端面寄りに配設され、排気口は機体の他方の端面に、第２排気口は機体前面の他方の端面寄りに配設されており、第２吸気口の前面に位置する第１のフラップは一方の端面と反対側を支点に回動して第２吸気口を開閉し、第２排気口の前面に位置する第２のフラップは他方の端面と反対側を支点に回動して第２排気口を開閉するものであることを特徴とする請求項２記載の空気調和機。
【請求項４】
第１の発光表示部及び第２の発光表示部の各表面が第２吸気口及び第２排気口と夫々面一となっていることを特徴とする請求項３記載の空気調和機。
【請求項５】
第１の発光表示部及び第２の発光表示部は機体の全幅もしくは全高にわたるものとして形成されていることを特徴とする請求項１〜４のいずれか１項に記載の空気調和機。
【請求項６】
制御手段は、吸気される空気の汚れ度合いと温度と湿度のうちの少なくとも１つの状態に応じて第１の発光表示部の動作を変更するものであり且つ排気される空気の汚れ度合いと温度と湿度のうちの少なくとも１つの状態に応じて第２の発光表示部の動作を変更するものであることを特徴とする請求項１〜５のいずれか１項に記載の空気調和機。
【請求項７】
制御手段は、吸気される空気の汚れ度合いと温度と湿度のうちの少なくとも１つの状態に応じて第１の発光表示部の動作を変更するものであり且つ設定された空気の汚れ度合いや温度や湿度に関する目標値に応じて第２の発光表示部の動作を変更するものであることを特徴とする請求項１〜５のいずれか１項に記載の空気調和機。
【請求項８】
制御手段は、吸気される空気の汚れ度合いと温度と湿度のうちの少なくとも１つの状態に応じて第１の発光表示部の動作を変更するものであり且つ送風手段の動作状態に応じて第２の発光表示部の動作を変更するものであることを特徴とする請求項１〜５のいずれか１項に記載の空気調和機。
【請求項９】
制御手段は、空気調和に関連する状態に応じて第１の発光表示部の動作及び第２の発光表示部の動作を変更する動作状態表示モードと、空気調和と関係の無い状態で第１の発光表示部の動作及び第２の発光表示部の動作を変更するインテリア照明モードとを備えていることを特徴とする請求項１〜８のいずれか１項に記載の空気調和機。
【発明の詳細な説明】
【技術分野】
【０００１】
本発明は、空気清浄機のように吸気口と排気口並びに吸気口からの吸気と排気口からの排気を行う送風手段を内蔵している空気調和機に関するものである。
【背景技術】
【０００２】
従来から空気の汚れを検知する汚れセンサーを備えて該汚れセンサーで検出される空気の汚れ度合いを発光表示手段で表示する空気清浄機が特開平８−３１８１１７号公報に示されている。
【０００３】
しかし、この空気清浄機での発光表示手段だけでは、空気清浄機の動作状態を利用者が的確に知ることはできない。
【特許文献１】特開平８−３１８１１７号公報
【発明の開示】
【発明が解決しようとする課題】
【０００４】
本発明は上記の従来の問題点に鑑みて発明したものであって、空気調和に関連する状態表示を的確に且つ分かり易く行うことができる空気調和機を提供することを課題とするものである。
【課題を解決するための手段】
【０００５】
上記課題を解決するために本発明は、吸気口と排気口を備えるとともに、吸気口からの吸気と排気口からの排気を行う送風手段を内蔵している空気調和機において、第１の発光表示部と、第２の発光表示部と、空気調和に関連する第１の状態に応じて第１の発光表示部の動作を変更するとともに空気調和に関連する第２の状態に応じて第２の発光表示部の動作を変更する制御手段とを備えていることに特徴を有している。空気調和に関する２つの状態を２つの発光表示部で個別表示することができる。
【０００６】
第１のフラップで開閉される第２吸気口と、第２のフラップで開閉される第２排気口とを備え、第１の発光表示部は吸気口とこれに隣接する位置に配された第２吸気口との間に配設され、第２の発光表示部は排気口とこれに隣接する位置に配された第２排気口との間に配設されているものであってもよい。
【０００７】
この場合、吸気口は機体の一方の端面に、第２吸気口は機体前面の一方の端面寄りに配設され、排気口は機体の他方の端面に、第２排気口は機体前面の他方の端面寄りに配設されており、第２吸気口の前面に位置する第１のフラップは一方の端面と反対側を支点に回動して第２吸気口を開閉し、第２排気口の前面に位置する第２のフラップは他方の端面と反対側を支点に回動して第２排気口を開閉するものであることが空気の流れの点で好ましい。
【０００８】
また、第１の発光表示部及び第２の発光表示部の各表面が第２吸気口及び第２排気口と夫々面一となっていると、発光表示部近傍に汚れが付着しにくくて汚れが目立ってしまうことを防ぐことができる。
【０００９】
第１の発光表示部及び第２の発光表示部は機体の全幅もしくは全高にわたるものとして形成されていることが、状態表示をより分かり易くすることができる点で好ましい。
【００１０】
そして制御手段が、吸気される空気の汚れ度合いと温度と湿度のうちの少なくとも１つの状態に応じて第１の発光表示部の動作を変更するものであり且つ排気される空気の汚れ度合いと温度と湿度のうちの少なくとも１つの状態に応じて第２の発光表示部の動作を変更するものであると、吸気側の空気の状態と排気側の空気の状態との違いを利用者に明確に示すことができる。
【００１１】
また、制御手段が、吸気される空気の汚れ度合いと温度と湿度のうちの少なくとも１つの状態に応じて第１の発光表示部の動作を変更するものであり且つ設定された空気の汚れ度合いや温度や湿度に関する目標値に応じて第２の発光表示部の動作を変更するものであると、目標とした状態と吸気される空気の状態との相違を利用者に明確に示すことができる。
【００１２】
また制御手段が、吸気される空気の汚れ度合いと温度と湿度のうちの少なくとも１つの状態に応じて第１の発光表示部の動作を変更するものであり且つ送風手段の動作状態に応じて第２の発光表示部の動作を変更するものであると、空気の状態と送風手段の動作状態とを利用者に明確に示すことができる。
【００１３】
さらに制御手段が、空気調和に関連する状態に応じて第１の発光表示部の動作及び第２の発光表示部の動作を変更する動作状態表示モードと、空気調和と関係の無い状態で第１の発光表示部の動作及び第２の発光表示部の動作を変更するインテリア照明モードとを備えていると、発光表示部をインテリア照明として利用することもできる。
【発明の効果】
【００１４】
本発明は、空気調和に関する２つの状態を２つの発光表示部で個別表示することができるものであり、空気調和に関連する状態についての情報を利用者により多く伝達することができる。
【発明を実施するための最良の形態】
【００１５】
以下、本発明を添付図面に示す実施形態に基いて説明すると、図２及び図３に外観を示す。壁掛け設置することができるようになっている図示例の空気調和機１は、横長で前後の厚みが薄い機体１０内に送風ファンを内蔵しているもので、機体１０はその下端面に吸気口１１を、上端面に排気口１２を備えているほか、前面の下端寄りの部分に第２吸気口２１を備え、機体前面の上端寄りの部分に第２排気口２２を備えており、これら第２吸気口２１と第２排気口２２は夫々フラップ４で開閉自在となっている。機体１の端面と反対側を支点に回動することで開閉を行うフラップ４は、図５に示すように、フラップ用モータＭ２（図４参照）で回転駆動されるクランク４５に連接棒４６で連結されて、モータＭ２の回転でヒンジ４０を中心に回動する。フラップ４の支点を上記位置に配置しているのは、吸気及び排気がより円滑になされるようにするためである。
【００１６】
第１の発光表示部３１は吸気口１１とこれに隣接する位置に配された第２吸気口２１との間に配設されて機体１０の前面下端に位置し、第２の発光表示部３２は排気口１２とこれに隣接する位置に配された第２排気口２２との間に配設されて機体１の前面上端に位置している。また、これら発光表示部３１，３２は機体１０の全幅に亘る幅を有するものとなっている。
【００１７】
ここで発光表示部３１，３２は、夫々機体１０内に一列に配された多数の３色ＬＥＤ３ａと、機体１の前面に全幅にわたるものとして配設された導光板３ｂとから構成されて、ＬＥＤ３ａの光が端面から入射し且つ他の面から出射することで導光板３ｂが発光しているかのように光るもので、単なる発光表示だけでなく、照明としても機能させることができるものとなっており、特にＬＥＤ３ａを３色のもので構成していることから、光る導光板３ｂの色を任意の色に変更することができるものとなっているとともに、導光板３ｂの一端側と他端側とで異なる色を発することもできるようになっている。また、フラップ４はその先端側が発光表示部３１，３２の一部を覆う位置にあることから、発光表示部３１，３２が光る時、フラップ４の先端面及び裏面の一部が発光表示部３１，３２からの光を受けてその色に染まるものであり、このためにフラップ４の開閉でも変化のある照明を得ることができる。
【００１８】
なお、第１の発光表示部３１の導光板３ｂの表面及び第２の発光表示部３２の導光板３ｂの各表面を、第２吸気口２１と第２排気口２２に夫々面一となるようにしているのは、汚れや埃が堆積しにくくなるようにしているためである。
【００１９】
そし空気清浄機として形成されているこの空気調和機１は、フラップ４，４が第２吸気口２１及び第２排気口２２を閉じており、内蔵する送風手段を作動させたならば、吸気口１１や第２吸気口２１からの吸気をフィルターなどで濾過して清浄化した上で排気口１２や第２排気口２２から吐出するのであるが、機体１０の前面に配されたスイッチ５１によって低風量の状態にセットされた時、フラップ４は第２吸気口２１及び第２排気口２２を閉じたままの状態、もしくは少しだけ開いた状態に保持される。また、大風量にセットされた時、フラップ４は第２吸気口２１及び第２排気口２２を大きく開いた状態に保持したり、図５(b)に示す半開状態と図５(c)に示す全開状態とを繰り返す動きを行う。
【００２０】
図４にこの空気清浄機１のブロック回路図を示す。空気の汚れを検出する汚れセンサー５２，５２が接続されるとともに送風手段における送風ファン用モータＭ１と上記フラップ用モータＭ２とを夫々モータ駆動回路５３，５４を介して駆動する制御回路５には、ＬＥＤ駆動回路５５，５５を介して上記２つの発光表示部３１，３２におけるＬＥＤ３ａ，３ａが接続されており、発光表示部３１，３２は制御回路５の制御下で発光や色の変更を行う。また、制御回路５は汚れセンサー５２，５２で検出される空気の汚れ度合いに応じて、送風手段の送風量の変更及びフラップ４の開閉を行う。
【００２１】
発光表示部３１，３２にどのような発光を行わせるかの例を次に説明すると、上記２つの汚れセンサー５２，５２が吸気路と排気路とに夫々配設されている場合、吸気される空気の汚れ度合いに応じて発光表示部３１の色を変化させ、排気される空気の汚れ度合いに応じて発光表示部３２の色を変化させることができ、この場合、現在の空気の汚れ度合いと、空気調和機１を通過することで空気の汚れ度合いがどの程度抑えられたかを利用者に示すことができる。また、空気浄化が進めば、発光表示部３１の色も発光表示部３２の色も変化していき、最終的には両者が同じ色になれば、空気の汚れがなくなったこと（汚れセンサー５２で検出することができる汚れがなくなったこと）を利用者に示すことになる。
【００２２】
ここにおいて、発光表示部３１が吸気口１１及び第２吸気口２１の近辺に位置し、発光表示部３２が排気口１２及び第２排気口２２の近辺に位置することは、発光表示部３１が吸気される空気の状態を、発光表示部３２が排気される空気の状態を示すことを利用者がわかりやすくなっていることになる。
【００２３】
空気調和機１が温度調整機能や湿度調整機能を備えている場合には、吸気側から検出される温度または湿度に応じて発光表示部３１の動作を変更し、排気される空気の温度または湿度に応じて発光表示部３２の動作を変更するものであってもよく、更には空気の汚れ度合いと温度と湿度とを組み合わせがどのような状態であるかを発光表示部３１，３２の色で表示するようにしてもよい。
【００２４】
また、第１の発光表示部３１は、吸気される空気の汚れ度合いと温度と湿度のうちの少なくとも１つの状態に応じた色で発光し、第２の発光表示部３２は利用者が設定した空気の汚れ度合いや温度や湿度に関する目標値に応じた色で発光するようにしてもよい。この場合、第１の発光表示部３１の色が第２の発光部３２の色と同じになれば、設定された目標値になったことを利用者は一目で認識することができる。
【００２５】
このほか、吸気される空気の汚れ度合いと温度と湿度のうちの少なくとも１つの状態に応じて発光表示部３１の色を調整し、送風手段の送風量やフラップ４の開閉度等の送風状態に応じて発光表示部３２の色を調整するようにしてもよい。空気の状態と運転状態とを利用者は一目で判断することができる。
【００２６】
なお、発光表示部３１と発光表示部３２とが共に吸気側の空気（室内空気）の状況に応じて同一の動作をするようにしてもよい。
【００２７】
このほか、発光表示部３１，３２の色を調整することでどのような状態にあるかを利用者に知らせるようにしたものを示したが、ここで用いている発光表示部３１，３２は、その全幅において異なる色を混在させたり、色が一端から他端にかけて連続的に変化していくようにしたりすることもできることから、色で空気の汚れ度合いを、色の変化速度で風量を示すということも可能である。色ではなく、点滅速度や点灯箇所の移動速度などで動作状態を表示するようにしてもよい。
【００２８】
また、機体１の全幅に亘る幅の２つの発光表示部３１，３２を備えるとともに、これら発光表示部３１，３２の色を変化させることができることから、これをインテリア照明に利用することができるモードを設けておいてもよい。つまり、空気調和に関連する状態に応じて発光表示部３１，３２の動作を変更する動作状態表示モードのほかに、空気調和と関係の無い状態で発光表示部３１，３２の動作を変更するインテリア照明モードとを備えたものとし、インテリア照明モードにすれば、空気の状態や送風手段の動作状態などに関係なく、色が漸次変化する照明が発光表示部３１，３２でなされるようにしておくのである。
【００２９】
発光表示部３１，３２は図示例のように、機体１０の全幅に亘るものとしておくことがアクセント的照明としての機能も得ることができる点で好ましいが、機体１が縦長である場合は、全高に亘る縦長のものとして設けてもよい。
【図面の簡単な説明】
【００３０】
【図１】本発明の実施の形態の一例の断面図である。
【図２】同上の斜視図である。
【図３】同上のフラップを開いた状態の斜視図である。
【図４】同上のブロック回路図である。
【図５】同上のフラップ開閉機構を示すもので、(a)(b)(c)は夫々概略側面図である。
【符号の説明】
【００３１】
１  空気調和機
４  フラップ
１１  吸気口
１２  排気口
２１  第２吸気口
２２  第２排気口
３１  発光表示部
３２  発光表示部
【図１】
2005147525.tif 000003
【図２】
2005147525.tif 000004
【図３】
2005147525.tif 000005
【図４】
2005147525.tif 000006
【図５】
2005147525.tif 000007